(57)【特許請求の範囲】
【請求項１】
外郭体の内部に便器洗浄水を貯えるとともに該外郭体の上部に手洗鉢が設けられて成る洗浄水タンク装置において
使用時に前記手洗鉢の鉢面を開放し、不使用時に該手洗鉢の鉢面を閉鎖する蓋体を該手洗鉢とは別途に開閉可能に設けるとともに、該蓋体には、該蓋体の開位置で露出して手洗い用の水を前記手洗鉢に吐水し、閉位置で該蓋体の内側に隠れる吐水口を設けたことを特徴とする洗浄水タンク装置。
【請求項２】
請求項１において、前記蓋体内部には前記吐水口に手洗水を導く通水路を設けたことを特徴とする洗浄水タンク装置。
【発明の詳細な説明】
【０００１】
【発明の属する技術分野】
この発明は便器洗浄用の水を貯える洗浄水タンク装置に関し、詳しくは手洗鉢を備えたものに関する。
【０００２】
【従来の技術】
一般に便器（洋風便器）の後部には便器洗浄水を貯える洗浄水タンク装置が設けられており、便器洗浄時にその貯えられた洗浄水が便器に向けて勢い良く排出されるようになっている。
【０００３】
図８はその一例を示したものである。
同図において２００は便器本体、２０２は便座、２０４は便蓋であり、２０６は便器の後部に設けられた洗浄水タンク装置である。
【０００４】
洗浄水タンク装置２０６は、容器状をなすタンク（外郭体）２０８を有しており、給水管２１０を通じて送られてきた水を内部に貯えるようになっている。
このタンク２０８の内部には、また、タンク内を常に満水状態に保つためのボールタップ機構等が組み込まれている。
【０００５】
２１２はタンク２０８の上部に設けられた手洗鉢で鉢面２１４を有しており、その鉢面２１４には吐水口２１６が設けられていて、手洗用の水がその吐水口２１６から手洗鉢２１４に向けて吐水されるようになっている。
一般に吐水口２１６からの吐水は便器洗浄動作の際に同時に行われる。
【０００６】
【発明が解決しようとする課題】
ところで従来の洗浄水タンク装置２０６の場合、上記手洗鉢２１２の鉢面２１４が外部に露出した（開放された）状態となっている。
この手洗鉢２１２の鉢面２１４は水が流れる個所であって、その鉢面２１４には水垢等の汚れが付着しており、これが洗浄水タンク装置２０６ないし便器周りの美観を損ねる原因となっていた。
【０００７】
ところで、近年ノズルより人体局部に向けて洗浄水を噴出する局部洗浄装置を備えた便器が広く用いられるようになっており、この局部洗浄装置付便器において、局部洗浄に関係する各種動作を行う機能部を洗浄水タンクと共にケーシング（外郭体）内部に収容することが行われている。
【０００８】
この場合、ケーシング上部に手洗鉢を設け、用足し後にその手洗鉢を用いて手洗いできるようにしているが、この場合においても手洗鉢及び鉢面は外部に露出した状態にあって上記と同様の問題を生じていた。
【０００９】
【課題を解決するための手段】
本願の発明はこのような課題を解決するためになされたものである。
而して請求項１の洗浄水タンク装置は、外郭体の内部に便器洗浄水を貯えるとともに該外郭体の上部に手洗鉢が設けられて成る洗浄水タンク装置において、使用時に前記手洗鉢の鉢面を開放し、不使用時に該手洗鉢の鉢面を閉鎖する蓋体を該手洗鉢とは別途に開閉可能に設けるとともに、該蓋体には、該蓋体の開位置で露出して手洗い用の水を前記手洗鉢に吐水し、閉位置で該蓋体の内側に隠れる吐水口を設けたことを特徴とする。
【００１０】
請求項２の洗浄水タンク装置は、請求項１において、前記蓋体内部には前記吐水口に手洗水を導く通水路を設けたことを特徴とする。
【００１１】
【作用及び発明の効果】
上記請求項１の洗浄水タンク装置は、使用時に手洗鉢の鉢面を開放し、不使用時にその鉢面を閉鎖する蓋体を手洗鉢とは別途に開閉可能に設けたもので、この装置においては、手洗鉢を使用しないときに蓋体にて鉢面を閉鎖した状態とできるため、鉢面に付着した汚れが見苦しさを感じさせるといった問題を解決でき、洗浄水タンク装置ないし便器周りの美観を良好となすことができる。
尚、この場合において蓋体の開位置を規定するストッパを設けておくことが望ましい。
【００１２】
この請求項１の装置では、上記蓋体に、蓋体の使用位置で露出して手洗用の水を手洗鉢に吐水し、不使用位置で蓋体の内側に隠れる吐水口を設けており、この装置においては、吐水口からの吐水により手洗いを行うことができるとともに、手洗いをしないときには吐水口を蓋体の内側に隠蔽状態とでき、美観を良好に保つことができる。
尚この場合において、蓋体が開閉動作を行っているとき或いは蓋体が閉じた状態のとき吐水口から吐水しない構造としておくことができる。
【００１３】
請求項２の装置は、蓋体内部に、上記吐水口に手洗水を導く通水路を設けたもので、このようにすれば蓋体内部の空間を有効に活用でき且つ通水路用の配管が蓋体を開いたときに外部に露出するといったことを防止できる。
【００１４】
【実施例】
次に本発明の実施例を図面に基づいて詳しく説明する。
図１において、１０は洋風便器における便器本体、１２は便座、１４は便蓋であり、１６は洗浄水タンク装置１８におけるケーシング（外郭体）で、その内部に便器洗浄水を貯える洗浄水タンクを収容している。
【００１５】
ケーシング１６の内部には、また、ノズル２０から人体局部に向けて洗浄水を噴出する局部洗浄装置の各種機能部、即ちノズル２０からの洗浄水噴出に関連する各種動作を行う機能部が収容されている。
即ち本例において、ケーシング１６はその局部洗浄装置のケーシングを兼ねている。
【００１６】
このケーシング１６は、その下部において便座１２及び便蓋１４を開閉可能に保持した状態で便器本体１０の後部上面に載置され、ボルトにてその便器本体１０に締結固定されている。
【００１７】
尚このケーシング１６の側面には、内部に収容した洗浄水タンク内の洗浄水を便器本体１０に向けて排出操作するための操作レバー２２が設けられている。
【００１８】
２４は局部洗浄装置の操作部としてのリモコンで、前面の操作面上に各種スイッチを備えている。また下部には、その操作スイッチに対応した操作信号を発光する発光部２６を備えている。
【００１９】
ケーシング１６の上部には手洗鉢２８が設けられており、またその手洗鉢２８の上向きの鉢面３０を閉鎖し又は開放する蓋体３２が開閉可能に設けられている。
ここで蓋体３２は、図２（Ｂ）に示しているように軸受３４と軸３６とによってその軸３６の軸心周りに回転可能に設けられている。
【００２０】
図２（Ｂ）に示しているように、ケーシング１６の内部には駆動モータ３８が配設されている。駆動モータ３８は、その出力軸上に設けられたギヤ４０と蓋体３２側の軸３６に設けられたギヤ４２との噛合いに基づいて蓋体３２に作動的に連結されており、その駆動モータ３８の駆動力によって、蓋体３２が閉位置と開位置との間で回転作動、即ち開閉作動させられるようになっている。
【００２１】
一方ケーシング１６の前面には、手洗鉢２８ないし便器の使用者を検知する人体検知センサ４４が設けられており、その人体検知センサ４４による人体検知信号が、ケーシング１６内部に収容された制御部４６（図３）へと送られるようになっている。
【００２２】
制御部４６は、この人体検知センサ４４による検知信号に基づいて駆動モータ３８を作動させ、蓋体３２を開動作させる。
即ちこの例では、人体検知センサ４４による人体検知に基づいて自動的に蓋体３２を開動作させ、また人体検知センサ４４による人体の非検知、即ち使用者が便器から立ち去ったときに自動的に蓋体３２を閉動作させ得るようになっている。
【００２３】
尚蓋体３２は手動操作にても開閉可能であり、またリモコン２４に設けた手洗操作部としての手洗スイッチ４７の操作によっても開閉可能とされている。
【００２４】
尚、本例では手洗スイッチ４７をオン操作したとき発光部２６から操作信号が発光され、その発光信号が便器本体側の受光部４８（図３）にて受光される。そしてその受光信号が制御部４６へと送られる。制御部４６はその受光信号に基づいて駆動モータ３８を作動させ、蓋体３２を開動作させる。或いは手洗スイッチ４７のオフ操作に基づいて駆動モータ３８を逆転させ、蓋体３２を閉動作させる。
【００２５】
図１及び図２に示しているように、蓋体３２の内面の略中央部には手洗用の水を手洗鉢２８に向かって吐水する吐水口５０が設けられている。また蓋体３２の内部は、図２（Ａ）に示しているように給水源から供給された水をこの吐水口５０へと導く通水路５２とされている。
【００２６】
更に図１（Ａ）に示しているように、蓋体３２の内面且つ吐水口５０の近傍位置には、吐水口５０に向かって差し出された手を検知する手検知センサ５４が設けられており、この手検知センサ５４が、図３に示しているように制御部４６に電気的に接続されている。
【００２７】
即ち手検知センサ５４による手検知信号に基づいて制御部４６が吐水口５０に到る給水経路上の電磁弁５６を開弁動作させ、吐水口５０から自動的に吐水させるようになっている。
【００２８】
尚本例において、手洗スイッチ４７をオン操作したとき制御部４６は蓋体３２を開動作させるとともに一定時間後に電磁弁５６を開弁させて、吐水口５０から自動吐水させるようになっている。
【００２９】
図２に示しているようにケーシング１６の本体には蓋体３２の開位置を規定するストッパ５８が設けられており、蓋体３２が一定以上に開くのが防止されている。
尚、図２において５９は手洗鉢２８の排水口である。
【００３０】
本例では、便器洗浄動作と併せて吐水口５０から手洗鉢２８に吐水するようになしても良いし、或いは便器洗浄とは独立して吐水口５０から手洗用の水を吐水させるようになすこともできる。この場合において、吐水口５０から吐水された水はケーシング１６内部の洗浄水タンクのオーバーフロー管を通じて便器本体１０側へと流れる。
【００３１】
上記のように本例の装置では、使用時に手洗鉢２８の鉢面３０を開放し、不使用時にその鉢面３０を閉鎖する蓋体３２を手洗鉢２８とは別途に開閉可能に設けていることから、手洗鉢２８を使用しないときに蓋体３２にて鉢面３０を閉鎖状態とでき、従って鉢面３０に付着した汚れによって見苦しさを感じさせるといった問題を解決でき、洗浄水タンク装置１８ないし便器周りの美観を良好となすことができる。
【００３２】
更に本例の装置では、吐水口５０が手洗時に露出し、手洗いを行わないときには隠れた状態となるため、通常の状態において吐水口５０が露出することによって美観が損なわれることがなく、また使用時には吐水口５０が適正位置に位置して手洗いを支障なく行うことができる。
【００３３】
尚本例において、蓋体３２が開閉動作を行っているとき或いは蓋体３２が閉じた状態のとき、吐水口５０から吐水しないようにしておくことができる。
【００３４】
本例の装置では、また、蓋体３２の内部が通水路５２として構成されており、これにより蓋体３２の内部の空間を有効に活用でき、且つ吐水口５０に水を導くための配管が蓋体を開いたときに外部に露出するといったことがなく、美観を良好に保つことができる。
【００３５】
更に本例の装置の場合、人体検知センサ４４による人体検知に基づいて蓋体３２を自動的に開閉できるようにしており、更に手検知センサ５４により差し出された手を検知することで自動的に吐水を行えるようにしているため、手洗操作を簡便に行える利点がある。
【００３６】
尚本例において、蓋体３２が閉まるとき、その蓋体３２に対して一定以上の抵抗力が働いたときに蓋体３２の閉動作を停止し或いは引き続いて自動的に開動作に切り替えるように制御部４６を構成しておくことができる。
このようにした場合、蓋体３２を自動で閉動作させるときに手などが強く挾まれてしまうといった危険を回避することができる。
【００３７】
図４は参考例を示している。
この例は、手洗鉢を外部に露出した位置とケーシング１６内部に収納した位置との間で出入可能に設けたものである。
同図において６０はその手洗鉢で、この手洗鉢６０は前部半体６２と後部半体６４とに分かれており、それらが接続部６６で相対回転可能、つまり折畳み及び展開可能に接続されている。
【００３８】
ここで後部半体６４には取手６８を有する蓋体７０が固設されており、その取手６８を掴んで蓋体７０を開操作すると、これとともに手洗鉢６０が開くと同時に外部に露出し、鉢面６９を、図４（II）に示しているように連続した湾曲面形状と成す。
【００３９】
本例において手洗鉢６０の展開及び折畳み動作は、ケーシング１６の本体側に設けたガイド７３の案内作用に基づいて行われる。
即ち、手洗鉢６０の側にはガイド７３の溝内部に摺動可能に嵌合する被案内部７１が設けられており、蓋体７０に操作力が加えられて蓋体７０が開くとき、これに連動して被案内部７１がガイド７３により案内されつつ移動し、手洗鉢６０を所定形状に展開動作させる。
【００４０】
また蓋体７０に対して閉方向の操作力が加えられると、ガイド７３が被案内部７１を上記とは逆方向に案内し、手洗鉢６０を折り畳動作させると同時にケーシング１６の内部に収納状態とする。
【００４１】
尚、本例では手洗鉢６０、具体的には後部半体６４に吐水口７２がその後部半体６４と一体移動する状態で設けられており、手洗鉢６０が開いた状態の下で、その吐水口７２が外部に露出し、手洗鉢６０に向けて、詳しくは鉢面６９に向けて手洗水を吐水するようになっている。
尚本例において、その他の点については上記実施例と同様である。
【００４２】
この例の装置の場合、手洗鉢６０が外部に露出した使用位置とケーシング１６内部の収納位置（不使用位置）との間で出入可能に設けられていることから、洗浄水タンク装置１８周りの美観を良好に保つことができ且つ必要に応じて手洗鉢６０を取り出すことができる。
【００４３】
図５は他の参考例を示している。
この例もまた手洗鉢を出入可能に設けた例であって、図中７６は鉢面７７を有する手洗鉢であって、図示を省略するアクチュエータによって上下動可能とされている。
【００４４】
７８は蓋体であって前部半体８０と後部半体８２とに分かれており、それぞれがケーシング１６の本体側に設けたガイド８１，８３の、被案内部８４，８６に対する案内作用に基づいて開閉動作するようになっている。
【００４５】
即ち、手洗鉢７６が上昇駆動されると蓋体７８における前部半体８０と後部半体８２とが押し開かれるようにしてケーシング１６の本体内部に入り込み、また逆に手洗鉢７６を下降運動させると、前部半体８０及び後部半体８２がケーシング１６本体の外部に押し出されて互いに閉じた状態となる。
尚、本例においても他の点については上記実施例と同様の構成とすることができる。
【００４６】
上記何れの例においても吐水口７２が蓋体ないし手洗鉢、即ち移動する蓋体７８ないし手洗鉢７６に一体移動する形態で設けられており、手洗鉢の不使用時における吐水口７２の隠蔽と手洗鉢使用時における吐水口７２の露出とを容易に実現できる。
【００４７】
図６は更に他の参考例を示したものである。
この例はケーシング１６の一部を開閉可能な蓋体兼用手洗鉢として構成したもので、同図中８８はその蓋体兼用手洗鉢であって、内面が鉢面９０とされている。
【００４８】
本例において、蓋体兼用手洗鉢８８は図６（Ａ）に示す起立位置、即ちケーシング１６の一部開口を閉じた不使用位置と、図６（Ｂ）に示すように便器における前方向に突き出した使用位置との間で軸９２の周りに回転可能（開閉可能）に設けられている。
【００４９】
９４は、ケーシング１６の本体側に設けた手洗水を吐水する吐水口であって、図６（Ａ）に示す状態で、即ち蓋体兼用手洗鉢８８の不使用位置（閉じた位置）でその蓋体兼用手洗鉢８８によって隠蔽状態となる。
【００５０】
また図６（Ｂ）に示しているように、蓋体兼用手洗鉢８８の使用位置で外部に露出し、手洗鉢８８、詳しくは鉢面９０に向けて手洗水を吐水する状態となる。
【００５１】
本例の装置においても、蓋体兼用手洗鉢８８の不使用時に鉢面９０を閉鎖した状態となし得、洗浄水タンク装置１８ないし便器周りの美観を良好となすことができる。
【００５２】
また併せて手洗いを行わないときに吐水口９４が外部に露出するのを防止して良好な美観を保つことができるとともに、手洗いの必要なときには吐水口９４を露出させ得て支障なく手洗いを行うことができる。
【００５３】
加えて本例の装置の場合、蓋体兼用手洗鉢８８が使用位置で便器における前方向に突き出した状態となるため、即ち便器使用者に対してより近い位置に手洗鉢が突き出した状態となるため、手洗動作が行い易くなる利点がある。
【００５４】
図７は更に他の参考例を示したもので、この例もまた、ケーシング１６の一部を蓋体兼用手洗鉢として構成したものである。
同図において９６はその蓋体兼用手洗鉢であって断面形状が略半円形状を成しており、その内面が鉢面９８とされている。
【００５５】
この蓋体兼用手洗鉢９６は、その鉢面９８側に吐水口７２が一体移動する状態で設けられている。
この蓋体兼用手洗鉢９６は、軸１００を介してケーシング１６の本体側に回転可能に連結されており、この軸１００の周りに１８０°回転可能とされている。
【００５６】
即ち蓋体兼用手洗鉢９６は、図７（Ｉ）に示すようにあたかもお椀を伏せた状態の不使用位置、即ち外面１０２を蓋面としてケーシング１６本体の開口部を閉鎖した状態と、（II）に示しているようにこれより反転した状態、つまり鉢面９８を上向きとする使用位置との間で１８０°回転可能とされている。
【００５７】
尚この蓋体兼用手洗鉢９６の一端部には係止部１０４が設けられており、図７（II）に示す状態、つまり使用位置まで回転したときにその係止部１０４がケーシング１６本体の上端部に当接して位置決めを行う。
【００５８】
本例において、蓋体兼用手洗鉢９６の底部には排水口１０６とその排水口１０６を開閉する排水口蓋１０８とが設けられている。ここで排水口蓋１０８はヒンジ１１０の周りに回転可能とされており、図７（Ｉ）に示しているように蓋体兼用手洗鉢９６を下向きに伏せた状態としたとき自重によって排水口１０６を閉じ、また図７（II）に示しているように蓋体兼用手洗鉢７６を上向きとしたとき、つまり使用位置に位置させたとき同じく自重で開いて排水口１０６を開放する。
【００５９】
本例の装置においては、吐水口７２が蓋体兼用手洗鉢９６と一体に移動する形態で設けられており、手洗鉢不使用時における吐水口７２の隠蔽及び手洗鉢使用時における吐水口７２の露出を容易に実現することができる。
【００６０】
以上本発明の実施例を参考例とともに詳述したがこれはあくまで一例示である。
例えば、上記例において蓋体又は蓋体兼用手洗鉢を軸周りに開閉回転させるに際して、何れも前後方向にこれを開閉するようにしているが、場合によって便器における左右方向にこれを開閉回転させるようになすこともできる。
【００６１】
更に、本発明おいては上記第一の実施例において蓋体３２を手動でのみ開閉するようになすこともできるし、或いはまたその手動操作と併せてリモコン２４における手洗スイッチ４６の操作によって、或いはリモコン２４以外の個所に設けた操作部の操作によって開閉するようになすこともできる。
【００６２】
また、上記実施例は何れも局部洗浄装置の機能部を洗浄水タンクとともに内部に収容するケーシングの上部に手洗鉢を設けた例であるが、本発明は図８に示す従来の洗浄水タンク装置のように洗浄水タンクそのものを外郭体としてその上部に手洗鉢を設ける場合にも勿論適用可能であるなど、その主旨を逸脱しない範囲において種々変更を加えた形態で構成可能である。
【図面の簡単な説明】
【図１】  本発明の一実施例である洗浄水タンク装置を便器本体とともに示す図である。
【図２】  図１の洗浄水タンク装置の要部を示す図である。
【図３】  図１の洗浄水タンク装置における制御系統を示すブロック図である。
【図４】  参考例の要部を示す図である。
【図５】  他の参考例の要部を示す図である。
【図６】  更に他の参考例の要部を示す図である。
【図７】  更に他の参考例の要部を示す図である。
【図８】  従来の洗浄水タンク装置の例を示す図である。
【符号の説明】
１６  ケーシング（外郭体）
１８  洗浄水タンク装置
２８，６０，７６  手洗鉢
３０，６９，７７，９０，９８  鉢面
３２，７０，７８  蓋体
３８  駆動モータ
４０，４２  ギヤ
４４  人体検知センサ
５０，７２，９４  吐水口
８８，９６  蓋体兼用手洗鉢
９０，１００  軸
【図１】
0003756645.tif 000002
【図２】
0003756645.tif 000003
【図３】
0003756645.tif 000004
【図４】
0003756645.tif 000005
【図５】
0003756645.tif 000006
【図６】
0003756645.tif 000007
【図７】
0003756645.tif 000008
【図８】
0003756645.tif 000009